(57)【要約】  複数のソケット及びプラグからなる管継手を同時に接続施錠する管継手装置。複数のソケット（４）を有するソケット側ユニット（５）と、複数のプラグ（２）を有するプラグ側ユニット（３）とを備える。ソケット（４）には施錠子（３３）が設けられ、プラグには係合溝（１２ｂ）が設けられて、プラグがソケットに挿入されたときに、施錠子（３３）が係合溝（１２ｂ）に入る。スリーブ（１８）が設けられ、該施錠子をスリーブ（１８）が抑えて係合溝から出ないようにしてソケットとプラグとの施錠を行なう施錠完了位置と、該施錠完了位置から離れた退避位置との間で変位可能とされる。また、施錠確認プレートが設けられて、すべてのスリーブが施錠完了位置にあるときに、未確認位置から施錠確認位置まで変位可能とされ、施錠の完了を確認できるようにする。
2009022679.tif 000002
【特許請求の範囲】
【請求項１】
ソケット支持部材と、該ソケット支持部材によって相互に並行に支持された複数の筒状のソケットとを有するソケット側ユニットと、
プラグ支持部材と、該ソケットに対応して該プラグ支持部材によって相互に並行に支持された複数の筒状のプラグとを有するプラグ側ユニットと、
該ソケット側ユニットと該プラグ側ユニットとを、該プラグを該対応するソケットにそれぞれ対向するようにして相対的に相互に向けて動かすことにより該プラグが該対応するソケットに挿入されて、該ソケットとの接続がされるべき接続位置となったときに、該プラグと該対応するソケットとをそれぞれ施錠する複数の施錠装置であって、それぞれ、該プラグと該対応するソケットとの施錠を完了するための施錠完了位置と、該施錠完了位置から離れた退避位置との間で変位可能な施錠完了部材と、該プラグが該ソケットとの該接続位置となったときに、該施錠完了部材を該施錠完了位置に向けて動かすように、該施錠完了部材を該施錠完了位置に向けて付勢する付勢手段とを有する施錠装置と、
ソケット側ユニット及びプラグ側ユニットの一方に取り付けられた確認部材であって、全ての施錠完了部材が施錠完了位置にあるときに施錠確認位置に変位可能で、いずれかの施錠完了部材が退避位置にあるときに該退避位置にある該施錠完了部材によって該施錠確認位置に変位するのを阻止された未確認位置とされる確認部材と
を有する管継手装置。
【請求項２】
該施錠完了部材が、該プラグ及び該対応するソケットの一方の外周面上に該施錠完了位置と該退避位置との間で変位可能に取り付けられており、
該確認部材が板状の部材とされ、該ソケット側ユニットの該プラグ側ユニットに対向する面上で該ソケットの軸線に対して直交する方向に変位可能とされ、各ソケットを挿通する開口を有しており、いずれかの施錠完了部材が退避位置にあるときに、該退避位置にある施錠完了部材が作用的に関係しているソケットを挿通している該開口の縁が該退避位置にある施錠完了部材に係合することにより、該施錠確認位置に変位するのを阻止されるようにした請求項１に記載の管継手装置。
【請求項３】
該施錠完了部材が、該プラグ及び該対応するソケットの一方の外周面上に該施錠完了位置と該退避位置との間で変位可能に取り付けられており、
該確認部材が板状の部材とされ、該プラグ側ユニットの該ソケット側ユニットに対向する面上で該プラグの軸線に対して直交する方向に変位可能とされ、各プラグを挿通する開口を有しており、いずれかの施錠完了部材が退避位置にあるときに、該退避位置にある施錠完了部材に作用的に関係しているプラグを挿通している該開口の縁が該退避位置にある施錠完了部材に係合することにより、該施錠確認位置に変位するのを阻止されるようにした請求項１に記載の管継手装置。
【請求項４】
該施錠完了部材が、該プラグ及びソケットの一方の周りに、その軸線方向で該施錠完了位置と該退避位置との間で変位可能に取り付けられたスリーブとされ、該退避位置にあるときに該軸線方向に直角の方向で、該開口の縁と整合する外表面と、該施錠完了位置にあるときに該軸線方向に直角の方向で、該開口の縁と整合する該外表面に形成された凹部とを有し、
該確認部材が該未確認位置にあるときに、該開口の縁が対応する施錠完了部材の外表面と係合され、該確認部材が該施錠確認位置にあるときに、該開口の縁が対応する施錠完了部材の外表面の該凹部と係合されるようにした請求項２又は３に記載の管継手装置。
【請求項５】
該凹部が環状の溝とされている請求項４に記載の管継手装置。
【請求項６】
該施錠装置が、該ソケット側ユニットと該プラグ側ユニットとを、該プラグを該対応するソケットにそれぞれ対向するようにして相対的に相互に向けて動かすことにより該プラグが該対応するソケットに挿入されて、該ソケットとの接続がされるべき接続位置となったときに、該プラグと該対応するソケットとに係合して、それらプラグとソケットとが軸線方向で相対的に変位しないようにする施錠部材を有し、該施錠完了位置にある該施錠完了部材が該施錠部材を該プラグと該対向するソケットとに係合する位置に保持するようにされている請求項１乃至３のいずれかに記載の管継手装置。
【請求項７】
該ソケット側ユニット及びプラグ側ユニットの一方に設けられ、該確認部材が施錠確認位置に変位することに応答して、該変位を示す表示装置を備える請求項１乃至３のいずれかに記載の管継手装置。
【請求項８】
該表示装置は、該確認部材が該施錠確認位置に変位することに応答して変位する部材を備え、該部材の変位によって該確認部材の変位を表示する請求項７に記載の管継手装置。
【請求項９】
該ソケット側ユニット及び該プラグ側ユニットが、それらを相互に連結するための連結装置を備え、該連結装置は、該プラグを該対応するソケットにそれぞれ対向するようにして該ソケット側ユニット及び該プラグ側ユニットを相対的に相互に向けて動かすことにより該プラグが該対応するソケットに挿入されて、該ソケットとの接続がされるべき接続位置となったときに、相互に嵌合して連結施錠される雄型連結部材及び雌型連結部材を有する請求項１乃至３のいずれかに記載の管継手装置。
【請求項１０】
該連結装置が、該プラグ支持部材及び該ソケット支持部材の一方に設けられた雄型連結部材と該プラグ支持部材及び該ソケット支持部材の他方に設けられた雌型連結部材とを有し、
該雄型連結部材は、前記一方の支持部材の前記他方の支持部材に対向する面から突出して該雌型連結部材に嵌合施錠されるようになされ、
当該管継手装置が、更に、
該雄型連結部材と嵌合連結された該雌型連結部材を前記一方の支持部材から引き離す方向に変位させることにより、前記一方の支持部材を前記他方の支持部材に引き付け、これにより、該プラグをそれに対応するソケットに対して更に挿入させ、該プラグとソケットとの該接続位置とするように引付け部材を有する請求項９に記載の管継手装置。
【請求項１１】
該雄型連結部材が、前記一方の支持部材の略中央位置を貫通して当該一方の支持部材に対して変位可能に設けられており、該一方の支持部材の前記他方の支持部材に対向する面から突出し該雌型連結部材に嵌合施錠されるプランジャ部と、その反対側の面から突出する後方突出部分とを有し、
後方突出部分には、前記一方の支持部を前記他方の支持部に向けて付勢するためのバネ部材が設けられ、該引付け部材により該雌型連結部材を前記一方の支持部材から引き離す方向に変位させるときに、該雌型連結部材と嵌合施錠された雄型連結部材が該バネ部材を介して該一方の支持部材を前記他方の支持部材に向けて変位させるようにした請求項１０に記載の管継手装置。
【請求項１２】
該確認部材を該未確認位置から該施錠確認位置に向けて付勢する付勢手段と、該付勢手段に抗して該確認部材を未確認位置に保持する保持位置、及び、該プラグと該ソケットが該接続位置になるまで該ソケット側ユニットと該プラグ側ユニットが相互に近づいた状態のときに、該確認部材が該未確認位置から該施錠確認位置に変位するのを許容する許容位置との間で変位可能とされた保持部材を有する請求項９に記載の管継手装置。
【請求項１３】
該確認部材が、該ソケット側ユニットから該プラグ側ユニットに向かう方向で貫通された貫通孔を有し、
該保持部材が、該ソケット側ユニット及び該プラグ側ユニットの前記一方に取り付けられて、該ソケット側ユニット及び該プラグ側ユニットの他方に向けて付勢されたピンとされ、該ピンが該確認部材の貫通孔を通り該ソケット側ユニット及び該プラグ側ユニットの他方に向けて突出した先端部分を有し、該先端部分がその先端から後方に延びる小径部と該小径部分に続く大径部とを有し、該大径部が該貫通孔の壁面と係合することにより、該確認部材を該未確認位置に保持し、該ソケット側ユニットと該プラグ側ユニットが、該プラグと該ソケットが該接続位置になるまで相互に近づいた状態のときに、該ソケット側ユニット及び該プラグ側ユニットの該他方によって押し込まれ、該大径部が該貫通孔から押し出されることによって、該確認部材が該施錠確認位置に変位するのを許容するようにした請求項１２に記載の管継手装置。
【発明の詳細な説明】
【技術分野】
【０００１】
本発明は、複数の管継手を同時に連結及び解除可能とした管継手装置に関する。
【背景技術】
【０００２】
特開２００６−３０７９９２号には、複数のソケット（雌型継手部材）を有するソケット側ユニットと、該ソケットに対応する複数のプラグ（雄型継手部材）を有するプラグ側ユニットとを備え、ソケット側ユニットとプラグ側ユニットとを連結することにより、相互に対応するソケットとプラグとをそれぞれ接続する管継手装置が開示されている。この管継手装置では、ソケット側ユニット及びプラグ側ユニットの略中央に設けた連結用部材を相互に嵌合施錠することにより両ユニットを連結し、それにより各対応するソケット及びプラグが接続されるようになっている。
【発明の開示】
【発明が解決しようとする課題】
【０００３】
本発明では、上述のような管継手装置において、相互に連結される各ソケット及びプラグにおいても連結施錠を行なうようにすると共に、それらソケット及びプラグの連結施錠を確認できるようにした管継手装置を提供することを目的とする。
【課題を解決するための手段】
【０００４】
すなわち、本発明は、
ソケット支持部材と、該ソケット支持部材によって相互に並行に支持された複数の筒状のソケットとを有するソケット側ユニットと、
プラグ支持部材と、該ソケットに対応して該プラグ支持部材によって相互に並行に支持された複数の筒状のプラグとを有するプラグ側ユニットと、
該ソケット側ユニットと該プラグ側ユニットとを、該プラグを該対応するソケットにそれぞれ対向するようにして相対的に相互に向けて動かすことにより該プラグが該対応するソケットに挿入されて、該ソケットとの接続がされるべき接続位置となったときに、該プラグと該対応するソケットとをそれぞれ施錠する複数の施錠装置であって、それぞれ、該プラグと該対応するソケットとの施錠を完了するための施錠完了位置と、該施錠完了位置から離れた退避位置との間で変位可能な施錠完了部材と、該プラグが該ソケットとの該接続位置となったときに、該施錠完了部材を該施錠完了位置に向けて動かすように、該施錠完了部材を該施錠完了位置に向けて付勢する付勢手段とを有する施錠装置と、
ソケット側ユニット及びプラグ側ユニットの一方に取り付けられた確認部材であって、全ての施錠完了部材が施錠完了位置にあるときに施錠確認位置に変位可能で、いずれかの施錠完了部材が退避位置にあるときに該退避位置にある該施錠完了部材によって該施錠確認位置に変位するのを阻止された未確認位置とされる確認部材と
を有する管継手装置を提供する。【０００５】
この管継手装置においては、ソケット側ユニット及びプラグ側ユニットの一方に確認部材を取り付け、該確認部材が、全ての施錠完了部材が施錠完了位置にあるときに施錠確認位置に変位可能で、いずれかの施錠完了部材が退避位置にあるときに該退避位置にある該施錠完了部材によって該施錠確認位置に変位するのを阻止された未確認位置とされるようになされているので、該確認部材の位置によって、全てのプラグとそれに対応するソケットとが全てが施錠完了されたか否かを確認することが可能となる。従って、当該管継手装置では、全てのプラグとそれに対応するソケットとが施錠完了したのを確認したあとで流体を流すようにすることができ、安全な作業が可能となる。【０００６】
具体的には、
該施錠完了部材が、該プラグ及び該対応するソケットの一方の外周面上に該施錠完了位置と該退避位置との間で変位可能に取り付けられており、
該確認部材が板状の部材とされ、該ソケット側ユニットの該プラグ側ユニットに対向する面上で該ソケットの軸線に対して直交する方向に変位可能とされ、各ソケットを挿通する開口を有しており、いずれかの施錠完了部材が退避位置にあるときに、該退避位置にある施錠完了部材が作用的に関係しているソケットを挿通している該開口の縁が該退避位置にある施錠完了部材に係合することにより、該施錠確認位置に変位するのを阻止されるようにすることができる。【０００７】
また、
該施錠完了部材が、該プラグ及び該対応するソケットの一方の外周面上に該施錠完了位置と該退避位置との間で変位可能に取り付けられており、
該確認部材が板状の部材とされ、該プラグ側ユニットの該ソケット側ユニットに対向する面上で該プラグの軸線に対して直交する方向に変位可能とされ、各プラグを挿通する開口を有しており、いずれかの施錠完了部材が退避位置にあるときに、該退避位置にある施錠完了部材に作用的に関係しているプラグを挿通している該開口の縁が該退避位置にある施錠完了部材に係合することにより、該施錠確認位置に変位するのを阻止されるようにすることもできる。【０００８】
より具体的には、
該施錠完了部材が、該プラグ及びソケットの一方の周りに、その軸線方向で該施錠完了位置と該退避位置との間で変位可能に取り付けられたスリーブとされ、該退避位置にあるときに該軸線方向に直角の方向で、該開口の縁と整合する外表面と、該施錠完了位置にあるときに該軸線方向に直角の方向で、該開口の縁と整合する該外表面に形成された凹部とを有し、
該確認部材が該未確認位置にあるときに、該開口の縁が対応する施錠完了部材の外表面と係合され、該確認部材が該施錠確認位置にあるときに、該開口の縁が対応する施錠完了部材の外表面の該凹部と係合されるようにすることができる。【０００９】
ここで、該凹部が環状の溝とすることができる。【００１０】
更に、
該施錠装置が、該ソケット側ユニットと該プラグ側ユニットとを、該プラグを該対応するソケットにそれぞれ対向するようにして相対的に相互に向けて動かすことにより該プラグが該対応するソケットに挿入されて、該ソケットとの接続がされるべき接続位置となったときに、該プラグと該対応するソケットとに係合して、それらプラグとソケットとが軸線方向で相対的に変位しないようにする施錠部材を有し、該施錠完了位置にある該施錠完了部材が該施錠部材を該プラグと該対向するソケットとに係合する位置に保持するようにすることができる。【００１１】
また、この管継手装置は、
該ソケット側ユニット及びプラグ側ユニットの一方に設けられ、該確認部材が施錠確認位置に変位することに応答して、該変位を示す表示装置を備えるようにすることができ、該表示装置は、該確認部材が該施錠確認位置に変位することに応答して変位する部材を備え、該部材の変位によって該確認部材の変位を表示するようにすることができる。【００１２】
更に、
該ソケット側ユニット及び該プラグ側ユニットが、それらを相互に連結するための連結装置を備え、該連結装置は、該プラグを該対応するソケットにそれぞれ対向するようにして該ソケット側ユニット及び該プラグ側ユニットを相対的に相互に向けて動かすことにより該プラグが該対応するソケットに挿入されて、該ソケットとの接続がされるべき接続位置となったときに、相互に嵌合して連結施錠される雄型連結部材及び雌型連結部材を有するようにすることができる。ソケットと対応するプラグとが全て接続位置となったときに、ソケット側ユニット及びプラグ側ユニット自体の連結を行なうものである。【００１３】
具体的には、
該連結装置が、該プラグ支持部材及び該ソケット支持部材の一方に設けられた雄型連結部材と該プラグ支持部材及び該ソケット支持部材の他方に設けられた雌型連結部材とを有し、
該雄型連結部材は、前記一方の支持部材の前記他方の支持部材に対向する面から突出して該雌型連結部材に嵌合施錠されるようになされ、
該雌型連結部材は、前記他方の支持部材に変位可能に支持され、
当該管継手装置が、更に、
該雄型連結部材と嵌合連結された該雌型連結部材を前記一方の支持部材から引き離す方向に変位させることにより、前記一方の支持部材を前記他方の支持部材に引き付け、これにより、該プラグをそれに対応するソケットに対して更に挿入させ、該プラグとソケットとの該接続位置とするように引付け部材を有するようにすることができる。【００１４】
更に具体的には、
該雄型連結部材が、前記一方の支持部材の略中央位置を貫通して当該一方の支持部材に対して変位可能に設けられており、該一方の支持部材の前記他方の支持部材に対向する面から突出し該雌型連結部材に嵌合施錠されるプランジャ部と、その反対側の面から突出する後方突出部分とを有し、
後方突出部分には、前記一方の支持部を前記他方の支持部に向けて付勢するためのバネ部材が設けられ、該引付け部材により該雌型連結部材を前記一方の支持部材から引き離す方向に変位させるときに、該雌型連結部材と嵌合施錠された雄型連結部材が該バネ部材を介して該一方の支持部材を前記他方の支持部材に向けて変位させるようにすることができる。【００１５】
また、
該確認部材を該未確認位置から該施錠確認位置に向けて付勢する付勢手段と、該付勢手段に抗して該確認部材を未確認位置に保持する保持位置、及び、該プラグと該ソケットとが該接続位置になるまで該ソケット側ユニットと該プラグ側ユニットが相互に近づいたときに、該確認部材が該未確認位置から該施錠確認位置に変位するのを許容する許容位置との間で変位可能とされた保持部材を有するようにすることができる。該プラグと該ソケットとが該接続位置になるまで該ソケット側ユニットと該プラグ側ユニットが相互に近づいたときに、保持部材が付勢手段によって自動的に上記許容位置へ変位するようにするものであり、これにより確認部材は、施錠確認位置に向けて動かされるが、いずれかのプラグとそれに対応するソケットとの接続が完了していないときには、それに関連する施錠完了部材が退避位置にあるために、該確認部材の該施錠確認位置への変位は阻止され、それにより、プラグとソケットとの接続が完全ではないことを確認することができる。【００１６】
この場合、
該確認部材が、該ソケット側ユニットから該プラグ側ユニットに向かう方向で貫通された貫通孔を有し、
該保持部材が、該ソケット側ユニット及び該プラグ側ユニットの前記一方に取り付けられて、該ソケット側ユニット及び該プラグ側ユニットの他方に向けて付勢されたピンとされ、該ピンが該確認部材の貫通孔を通り該ソケット側ユニット及び該プラグ側ユニットの他方に向けて突出した先端部分を有し、該先端部分がその先端から後方に延びる小径部と該小径部分に続く大径部とを有し、該大径部が該貫通孔の壁面と係合することにより、該確認部材を該未確認位置に保持し、該ソケット側ユニットと該プラグ側ユニットが、該プラグと該ソケットが該接続位置になるまで相互に近づいたときに、該ソケット側ユニット及び該プラグ側ユニットの該他方によって押し込まれ、該大径部が該貫通孔から押し出されることによって、該確認部材が該施錠確認位置に変位するのを許容するようにすることができる。
【図面の簡単な説明】
【００１７】
【図１】本発明の実施例に係る管継手装置のプラグ側ユニットを正面から見た図であり、確認プレートを押した状態を示す図である。
【図２】図１のプラグ側ユニットを正面から見た図であり、確認プレートを押していない状態を示す図である。
【図３】同実施例に係る管継手装置におけるソケット側ユニット及びプラグ側ユニットが接続されて、それらユニットのソケット及びプラグが接続されている状態を示す縦断面図である。
【図４】同管継手装置のソケット側ユニット及びプラグ側ユニットが、接続されていない状態を示す平面図である。
【図５】ソケット側ユニット及びプラグ側ユニットが接続されていない状態における、当該管継手装置の連結装置の雌型連結部材と雄型連結部材を示す縦断面図である。
【図６】同接続されていない状態におけるソケット及びプラグを示す縦断面図である。
【図７】ソケット側ユニット及びプラグ側ユニットが仮施錠状態にあるときのソケット側ユニット及びプラグ側ユニットの平面図である。
【図８】ソケット側ユニット及びプラグ側ユニットが仮施錠状態にあるときの連結装置の雌型連結部材と雄型連結部材を示す縦断面図である。
【図９】ソケット側ユニット及びプラグ側ユニットが仮施錠状態にあるときのソケット及びプラグを示す縦断面図である。
【図１０】施錠状態におけるソケット側ユニット及びプラグ側ユニットを示す平面図である。
【図１１】ソケット側ユニット及びプラグ側ユニットが施錠状態にあるときの連結装置の雌型連結部材と雄型連結部材を示す縦断面図である。
【図１２】ソケット側ユニット及びプラグ側ユニットが施錠状態にあるときのソケット及びプラグを示す縦断面図である。
【図１３】ソケット側ユニット及びプラグ側ユニットが施錠状態にあるときに、確認プレートを施錠確認位置に動かしたときのソケット側ユニット及びプラグ側ユニットを示す平面図である。
【図１４】確認プレートを施錠確認位置に動かしたときのソケット及びプラグを示す縦断面図である。
【図１５】施錠解除状態におけるプラグ側ユニットを示す平面図である。
【図１６】上述の実施例の変形例に係る管継手装置における連結装置の断面図であり、連結装置における雄型及び雌型連結部材の連結はされているが、まだ、プラグとソケットとの接続がされていない状態を示している。
【図１７】図１６と同様の図であり、操作レバーの操作によってソケット側ユニットがプラグ側ユニットに引付けられてプラグとソケットとが接続されてその施錠が完了した状態で、確認プレートが施錠確認位置に動いた状態を示している。
【図１８】図１６の状態におけるプラグ側ユニットの正面図である。
【図１９】図１７の状態におけるプラグ側ユニットの正面図である。
【発明を実施するための最良の形態】
【００１８】
以下、本発明に係る管継手装置の実施形態を添付図面に基づき説明する。本発明に係る管継手装置１は、複数のプラグ２を備えたプラグ側ユニット３と、プラグ側ユニット３に対応する複数のソケット４を備えたソケット側ユニット５とを備える。【００１９】
プラグ側ユニット３は略矩形の板状のプラグ支持部材（以下においては単に支持部材とする）１１と、支持部材１１の略中央に設けられた後述する連結装置１３の雌型連結部材４１とを備え、支持部材１１に形成された複数の円形状の穴に筒状のプラグ２が挿入固定されている。また、支持部材１１にはソケット側ユニット３に向かう面上に確認プレート７が摺動可能設けられている。【００２０】
ソケット側ユニット５は略矩形の板状の支持部材２１と、支持部材２１の略中央に設けられた連結装置１３の雄型連結部材２３とを備え、支持部材２１に形成された複数の円形状の穴に筒状のソケット４が挿入固定されている。【００２１】
図６に示すように、プラグ２は支持部材１１の穴に挿入固定された略円筒形状のプラグ本体１２と、プラグ本体の流体通路１４を開閉する第１弁部材１５と、第１弁部材１５を流体通路閉鎖位置（図６）に向けて付勢する付勢部材１６と、第１弁部材１５を保持する弁保持部材１７とを備えている。【００２２】
プラグ本体１２の外周にはスリーブ１８と、スリーブ１８をソケット側ユニット方向に付勢する付勢部材１９が設けられており、スリーブ１８はソケット本体側方向に最大限突出した施錠完了位置と、施錠完了位置からソケット側ユニット方向とは反対方向に変位した退避位置との間を移動可能になっている。【００２３】
ソケット４は、支持部材２１の穴に挿入固定された略円筒形状のソケット本体３１と、ソケット本体３１の流体通路３０を開閉する第２弁部材３５と、第２弁部材３５を流体通路閉鎖位置（図６）に向けて付勢する付勢部材３７と、第２弁部材３５を保持する弁保持部材３６とを備えている。【００２４】
ソケット本体３１の先端部には周方向に沿って適宜間隔をあけて形成された施錠子孔３２と、施錠子孔３２内で半径方向に変位可能に設けられた施錠子３３と、ソケット４とプラグ２が接続されたときに、スリーブ１８を半径方向外側から支持するスリーブ支持部材３４とを備える。【００２５】
プラグ本体１２の外周面には、後述するソケット本体３１に挿入されるときに施錠子３３をプラグ本体１２の半径方向外側に押し出す押出部１２ａと、施錠子３３を受け入れる係合溝１２ｂとを備える。【００２６】
スリーブ１８の先端部にはテーパ面１８ａが形成されており、押出部１２ａによってプラグ本体１２の半径方向外側に押し出された施錠子３３がテーパ面１８ａに当接しつつソケット本体３１が挿入されることで、スリーブ１８が退避位置方向に移動する。また、スリーブ１８の内周面には係合溝１２ｂ内に係合した施錠子３３が半径方向外方に移動するのを防止する施錠面１８ｂが形成されている。更に、スリーブ１８の外周面１８´には環状溝１８ｃを備えている。【００２７】
次に、プラグ側ユニット３とソケット側ユニット４とを連結するための連結装置１３について説明する。【００２８】
前述のように、連結装置１３はソケット側ユニット４に設けられた雄型連結部材２３と、プラグ側ユニット３に設けられ雌型連結部材４１とを備える（図５）。【００２９】
雄型連結部材２３は、支持部材２１を貫通するように設けられ、支持部材２１の表面（図５における左側面）から前方に突出するプランジャ部５８と、支持部材から後方に延びる後方突出部分とを備える。該後方突出部分にはカップ状のハウジング５７が固定され、該ハウジング内には皿ばね５６が設けられている。皿ばね５６と支持部材２１との間には、筒状部材２１´が設けられており、皿ばねは該筒状部材２１´を介して支持部材２１をプランジャ部５８に押圧しており、支持部材２１が該筒状部２１´を介して皿ばね５６を圧縮しながら、雄型連結部材２３に対して図５で見て右方へ変位可能とされている。これは、プラグ側ユニット３及びソケット側ユニット５が連結され、且つ、ソケットとプラグが接続された後に、該ソケット及びプラグを通して加圧流体が通され、該ソケットをプラグから離すような流体圧が作用したときに、該ソケットが固定されている支持部材２１が、プランジャ部５８に対して図５で見て右方に変位するのを許容し、それにより、該流体圧力を連結装置１３のみならず各ソケット４及びプラグ２でも受けるようにするためである。【００３０】
雌型連結部材４１は、支持部材１１の中央位置を貫通するように設けられた開口内に、その軸線方向で変位可能に設けられている。該雌型連結部材は、プランジャ部５８ｂを摺動可能に受け入れる挿入孔５０ｂを有する筒状部５０と、筒状部５０の外周に設けられた外側スリーブ５１と、外側スリーブ５１を図５で見て右方に付勢する付勢部材５３と、筒状部５０に形成された半径方向の貫通孔５２と、貫通孔５２内で半径方向に変位可能な施錠部材５４と、筒状部５０の内周側の位置に設けられ、プランジャ部５８の挿入前において施錠部材５４を半径方向内側から保持する内側スリーブ５５とを備えている。該内側スリーブは、挿入孔５０ｂ内に挿入されるプランジャ部５８によって押されて移動することで、施錠部材５４がプランジャ部５８の係合溝２４に係合可能とする。【００３１】
筒状部５０の左側端部には連接部５０ｃが設けられており、該連接部５０ｃには連接ピン４２を介して回転軸４４が連接されており、回転軸４４には該回転軸を回転操作する操作レバー４５が取り付けられている。回転軸４４の中心軸線は、筒状部５０の軸線に対して直角方向に延びており、連接ピン４２は回転軸４４の中心軸線に対して偏心位置に該中心軸線に平行に設けられている。連接部５０ｃには図５で見て紙面に対して垂直な方向に溝５０ｄが設けられており、連接ピン４２は溝５０ｄに沿って摺動可能に係合している。このような構成により、操作レバー４５によって回転軸４４をその中心軸線を中心に回転することにより、連接ピン４２は同中心軸線の周りを回り、溝５０ｄ内を摺動し、それにともない、連接部５０ｃ、従って筒状部５０はその軸線方向で変位するようになっている。【００３２】
次に確認プレートについて説明する。【００３３】
図１に示すように確認プレート７は正面視において長方形状の薄板を成しており、支持部材１１よりもわずかに小さい平面を有している。確認プレート７は、プレート本体７ａと、プレート本体７ａを図１で見て右側に押圧する押圧操作する押圧操作部７ｂと、プレート本体７ａを左側に付勢するスプリング（付勢手段）７ｃ（図４に示す）とを備える。また、プレート本体７ａには支持部材１１に取り付けられた複数のプラグ２及び雌型連結部材４１をそれぞれ挿通する複数の開口７ｄが形成されている。【００３４】
プレート本体７ａには上下左右４箇所に長孔７ｈを設けており、長孔７ｈを通して抜け止めピン７ｇを支持部材１１に取り付けることにより、支持部材１１から確認プレート７が外れないようになっている。【００３５】
更に、プレート本体７ａの一側端部（図１における右側端部）には、後述する接続確認ピン２６が挿通可能な挿通穴７ｆが形成されており、また、支持部材１１にも嵌合穴１１ａが形成されている。【００３６】
図４に示すように、ソケット側ユニット５の支持部材２１には、プラグ側ユニットから離れる方向に延びる筒状部材２５が設けられている。筒状部材２５内には接続確認ピン２６が設けられ、図示しないスプリングによってプラグ側ユニットに向けて付勢されている。【００３７】
図４に示すようにプラグ側ユニット及びソケット側ユニットの非連結時には接続確認ピン２６の一端（左端）２６ａが支持部材２１からプラグ側ユニットに突出した状態となっており、他端２６ｂが筒状部材２５内に隠れている。両ユニットを連結すると、接続確認ピン２６はプラグ側ユニットのプレート本体７ａの平面によって図４における右側方向に押され、接続確認ピン２６は筒状部材２５の外側（右側）端部から突出する。【００３８】
また、接続確認ピン２６の端部２６ｂの周面は赤色とされた表示部２６ｃとされており、接続確認ピン２６が筒状部材２５の外側端部から突出すると、筒状部材２５から赤色の表示部２６ｃが現れるようになっている。【００３９】
次に本実施の形態に係る管継手装置の操作について説明する。【００４０】
＜接続前〜仮施錠状態＞
図４から図６はソケット側ユニットとプラグ側ユニットの接続前の状態では、内側スリーブ５５の外周面によって施錠部材５２が挿入孔５０ｂ内に入らないように保持されている。作業者がソケット側ユニットを把持し、連結装置の雌型連結部材４１と雄型連結部材２３、ソケット４とプラグ２とをそれぞれ軸線方向で整合した状態で、プラグ側ユニットに向け押圧する。【００４１】
これにより連結装置では、プランジャ部５８が筒状部５０の挿入孔５０ｂ内に挿入される。プランジャ部５８は、内側スリーブ５５に当接して挿入孔５０ｂの奥方（図中左方）に向けて移動する。プランジャ５８が所定位置まで押し込まれると、施錠部材５４が係合溝２４に嵌まり込み当該連結装置は仮施錠状態となる（図８）。仮施錠状態では、施錠部材５２を係合溝２４と外側スリーブ５１の内周面とで挟持しており当該連結装置の雌型連結部材４１と雄型連結部材２３とは連結された状態となる。このとき、係合部本体５０の先端部５０ａとプランジャ５８の段部５８ａとは当接している。この仮施錠状態では、ソケット４とプラグ２とはまだ接続されていない（図９）。【００４２】
＜仮施錠状態〜施錠状態＞
仮施錠状態から操作レバー４５を図７の位置から反時計方向（Ｘ方向）に回して回転軸４４を回転すると、該回転軸に対して偏心位置に取り付けられた連接ピン４２を介して、係合部本体５０が左方向に引き込まれ、ソケット側ユニットがプラグ側ユニットにひきつけられる。操作レバー４５を図１０に示す位置まで回すと、雌型連結部材の筒状部５０が最大限引き込まれた状態となり、ソケット側ユニット５が更にプラグ側ユニット３に向けてひきつけられる。【００４３】
このとき、ソケット４もプラグ２に向けて引き付けられ、プラグ２の押出部１２ａによって施錠子３３がプラグ本体１２の半径方向外側に向けて押し出されると共に、テーパ面１８ａが施錠子３３で押されることによってスリーブ１８が後退する。そして、上述したように係合部本体５０が開口部内に最大限引き込まれた位置までくると、施錠子３３が係合溝１２ｂに落ち込むと共に、付勢部材１９の付勢力によってスリーブ１８が施錠完了位置まで戻される。そして、スリーブ１８の内周面１８ｂと係合溝１２ｂとで施錠子３３が挟まれることでプラグ２とソケット４が施錠される。【００４４】
この状態では、プラグ本体１２の第１弁部材１５とソケット本体３１の第２弁部材３５が互いに押されることで、流体通路１４、３０が開放される。【００４５】
このようにして、ソケット側ユニットとプラグ側ユニットとの連結施錠状態は完成する。【００４６】
＜確認プレート動作状態＞
次に、この施錠状態を確認するための確認プレートの操作について説明する。【００４７】
各プラグ２のスリーブ１８のすべてが施錠完了位置にある場合、図１４に示すようにスリーブ１８の外周面１８´の環状溝１８ｃは、確認プレート７と半径方向で整合した状態にあり、該確認プレート７の押圧操作部７ｂを図１で見て右方へ押すと、各開口の開口縁部７ｅは環状溝１８ｃ内に入り、確認プレート７は全てのスリーブ１８が施錠完了位置にあることを示す施錠確認位置となる。【００４８】
確認プレート７が施錠確認位置までくると、プラグ側ユニット３の支持部材１１に形成された挿通穴１１ａと確認プレート７の係合穴７ｆとが整合し、接続確認ピン２６が図示しない付勢手段によって該係合穴７ｆと嵌合穴１１ａとを通り左方へ動き、接続確認ピン２６の右側端部が筒状部材２５内に入り、赤色の表示部２６ｃが見えなくなる。【００４９】
一部のスリーブ１８が施錠完了位置にない場合、確認プレート７を押し込んでもそのスリーブ１８に対応する開口の縁部７ｅがそのスリーブ１８の外周面１８´に突き当たり、確認プレート７は未確認位置から施錠確認位置に移動できず、赤色の表示部２６ｃは現れたままの状態である。【００５０】
＜施錠状態〜施錠解除状態＞
施錠状態から操作レバー４５を図１３中で示す時計方向（Ｙ方向）に回すと、雌型連結部材が上述とは逆に前進する。そして操作レバー４５が図７に示す位置までくると、係合溝２４から施錠部材５２が外れ、プランジャ５８が筒状部５０の挿入孔５０ｂから抜け出し、施錠状態が解除される。このとき、ソケット４の施錠子３３もプラグ２の係合溝１６から抜け出し、ソケット４とプラグ２の接続状態も解除される。ソケット４とプラグ２の接続状態が解除されると、それらの流体通路１４、３０は弁部材により閉鎖される。【００５１】
また、施錠状態が解除されると、接続確認ピン２６が支持部材１１の嵌合穴１１ａ及び確認プレート７の係合穴７ｆから外れ、これによりプレート本体７ａはスプリング７ｃの付勢力によって未接続位置に戻される。【００５２】
上述したように本実施の形態によれば、プラグ側ユニット３とソケット側ユニット５とを連結後、すべてのスリーブ１８が施錠完了位置にあるときのみ、確認プレート７が未確認位置から施錠確認位置まで移動でき、図３で示すように施錠完了位置にないスリーブ１８があるときには、確認プレート７が未確認位置から施錠確認位置まで移動できないようになっているので、プラグ側ユニット３とソケット側ユニット５を連結した際に、施錠完了位置にないスリーブ１８があることを容易に確認でき、ソケット４及びプラグ２の不適切な接続状態で流体を流したりすることを防止することができる。【００５３】
また、確認プレート７を押し込むだけで施錠完了位置にないスリーブ１８があることを確認できるので、確認に要する操作が簡単である。プラグ側ユニット３とソケット側ユニット５の連結が完了すると、接続確認ピン２６が筒状部材２５内から突出するので、接続確認ピン２６を認識することで確認プレート７の押圧動作が忘れにくい。また、確認プレート７が施錠確認位置までくると、接続確認ピン２６が突出した状態から筒状部材２５内に隠れるので、ソケット４とプラグ２とが確実に接続されたことを容易に確認できる。接続確認ピン２６に赤色の表示部２６ｃを設けているので、視認性が良い。【００５４】
図１６乃至図１９には、上述の実施例に係る管継手装置の変形例が示されている。この管継手装置は基本的に上述の実施例の管継手装置と同じ構成を有しており、以下の記載では、同じ構成要素には同じ参照番号を付して示す。【００５５】
この変形例に係る管継手装置では、ソケット側ユニット５をプラグ側ユニット３に近づけ、ソケット４を対応するプラグ２に挿入して連結装置の雌型連結部材４１と雄型連結部材２３とは連結された状態とした後に、操作レバーを操作して回転軸４４を回転し、ソケット側ユニット５をプラグ側ユニット３に向けて引き付け、該プラグ２とソケット４が相互に接続される位置となったときに、確認プレート７がその施錠確認位置に自動的に動くようにしてある。すなわち、この管継手装置においては、プラグ支持部材１１がソケット支持部材２１に対向する面６４に開口する孔６０と、該孔内に摺動可能とされたピン６２と、該ピンの先端部を面６４から突出させるように付勢するバネ６６とを有している。これに対し、確認プレート７は、該ピンの先端部を通す貫通孔７０を備える。ピンの先端部分は段状にされており、該貫通孔内に入る部分は大径部７２と小径部７４とを有する。貫通孔７０は、図１８及び図１９に示すように、ピン６２の大径部７２を受け入れることができる大径開口部７６と、ピンの大径部は受け入れることができず小径部７４だけを受け入れることができる小径開口部７８とを有している。図１６に示すように連結装置の雌型連結部材４１と雄型連結部材２３とは連結される前の状態、及び、雌型連結部材４１と雄型連結部材２３とが連結された後で操作レバーがまだ操作されずプラグ２とソケット４とが相互に接続される位置になる前の状態においては、ピン６２の先端は、貫通孔７０の大径開口部７６内に挿入されており（図１６、図１８）、ピンの小径部７４はプラグ支持部材１１の面６４からソケット支持部材２１に向けて突出している。操作レバーを回動してソケット側ユニット５をプラグ側ユニット３に向けて引き付け、該プラグ２とソケット４が相互に接続されるべき位置（図１７）になると、雄型連結部材２３からの突出部８０によって押し込まれ、ピン６２の大径部７２は、貫通孔７０から押し出される。プラグ支持部材１１と確認プレート７との間には、図示しないバネが、図４に示すバネ７ｃと同様な態様で装着されており、確認プレートを図１８及び図１９において右方に（すなわち、図１８の未確認位置から図１９の施錠確認位置にむけて）付勢しており、ピンの大径部が貫通孔７０から押し出されることにより、確認プレートが右方に動いて、ピンの小径部が貫通孔７０の小径開口部と係合するようになる。もし、このとき、施錠が完了していないプラグとソケットとがあり、スリーブ１８がその施錠完了位置に変位していない場合には、確認プレートがそのスリーブによって施錠確認位置に変位するのが阻止され、それにより施錠が完了していないことが確認される。【００５６】
以上、本発明に係る管継手装置の実施形態につき説明したが、この実施形態に限定されるものではない。本実施の形態では、雌型連結部材４１を設けたユニット側にプラグ２を設け、雄型連結部材２３を設けたユニット側にソケット４を設けたが、これに限定されず、雌型連結部材４１を設けたユニット側にソケット４を設け、雄型連結部材２３を設けたユニット側にプラグ２を設けても良い。また、プラグ２にスリーブ１８を設けたが、これに限定されず、ソケット４にスリーブ１８を設けても良い。
【図１】
2009022679.tif 000003
【図２】
2009022679.tif 000004
【図３】
2009022679.tif 000005
【図４】
2009022679.tif 000006
【図５】
2009022679.tif 000007
【図６】
2009022679.tif 000008
【図７】
2009022679.tif 000009
【図８】
2009022679.tif 000010
【図９】
2009022679.tif 000011
【図１０】
2009022679.tif 000012
【図１１】
2009022679.tif 000013
【図１２】
2009022679.tif 000014
【図１３】
2009022679.tif 000015
【図１４】
2009022679.tif 000016
【図１５】
2009022679.tif 000017
【図１６】
2009022679.tif 000018
【図１７】
2009022679.tif 000019
【図１８】
2009022679.tif 000020
【図１９】
2009022679.tif 000021
【国際調査報告】
2009022679.tif 000022
2009022679.tif 000023
2009022679.tif 000024
2009022679.tif 000025